【手続補正書】
【提出日】平成19年11月19日(2007.11.19)
【手続補正１】
【補正対象書類名】明細書
【補正対象項目名】特許請求の範囲
【補正方法】変更
【補正の内容】
【特許請求の範囲】
【請求項１】  光ビームを生成する光源と、
前記光ビームが入射し、前記光ビームの所定の遮断が発生すると出力信号を発する検出器と、
信号プロセッサと
を備え、前記信号プロセッサは、規則的間隔における前記検出器からの信号の状態を示すサンプルをストアし、前記ストアされたサンプルが繰り返しパターンを示しているときはトリガ信号を発生することを特徴とする機械上の回転する対象物の計測を行なう装置。
【請求項２】  前記信号プロセッサは、前記サンプルをストアするバッファを含み、前記繰り返しパターンは、前記対象物の少なくとも１回転と等しい間隔で発生する前記バッファの２つのセルにストアされたのと同じ値であることを特徴とする請求項１に記載の装置。
【請求項３】  前記バッファは、新しいコンテンツにより古いコンテンツが上書きされるレジスタを含むことを特徴とする請求項２に記載の装置。
【請求項４】  検出器に入射する光ビームを生成する光源を備えた装置を用い、機械上で計測を行なう方法であって、
ビームが遮断される毎に検出信号を検出器内に発生させるステップと、
規則的間隔における前記検出器からの信号の状態を示すサンプルをストアするステップと、
前記ストアされたサンプルが繰り返しパターンを示しているときはトリガ信号を発生するステップと
を備えたことを特徴とする方法。
【請求項５】  前記信号装置は、バッファを備え、前記繰り返しパターンは、対象物の少なくとも１回転と等しい間隔を有するバッファ内で発生するもう１つのストアされたサンプルと同じ値を有するストアされたサンプルであることを特徴とする請求項４に記載の方法。
【請求項６】  前記バッファは、新しいコンテンツにより古いコンテンツが上書きされるレジスタを含むことを特徴とする請求項５に記載の方法。
【請求項７】  光ビームを生成する光源と、該光ビームを入射する検出器とを含む光学測定装置を用いて、対象物の計測を行なう方法であって、
前記光源から前記光ビームを射出させるステップと、
前記光源からの光ビームが遮断されると前記検出器内で第１の検出信号を発生するステップと、
前記第１の検出信号が発生する場合の第１の時間間隔を提供するステップと、
前記第１の時間間隔より短く、前記第１の時間間隔の終了から開始される第２の時間間隔を提供するステップと、
前記第２の時間間隔おいて、前記検出器内で検出信号がさらにあるときに、前記検出器から出力信号を発するステップと
を備えたことを特徴とする方法。
【請求項８】  前記対象物を１回転させるステップをさらに備え、
前記第１の時間間隔は前記対象物の回転速度に依存することを特徴とする請求項７に記載の方法。
【請求項９】  前記対象物は、刃を有する工具であり、および前記第１の時間間隔は、およそ前記対象物の刃が次に再度前記光ビームを遮断するのに必要な時間であることを特徴とする請求項８に記載の方法。
【請求項１０】  前記光学測定装置は、クロックをさらに含み、
前記工具を回転するステップと、
対象物を１回転させるステップをさらに備え、
クロックに、各々存続期間が前記第２の時間間隔と同じであり、前記工具の回転速度に同期するパルス列であって、第１のパルスは検出器に発生されている検出信号と同時に発されるパルス列の発生を開始させるステップと、
前記クロックパルスの存続中にも、前記検出器内で検出信号があるときのみ、前記検出器から出力信号を発するステップと、
前記検出器内で検出信号がないときには、クロックを停止するステップと
をさらに備えたことを特徴とする請求項９に記載の方法。
【請求項１１】  前記工具の回転ごとにクロックパルスが生成され、および前記第１のパルスに続いて前記クロックにより発生された次のパルスの間に、前記検出器内で検出信号があるときのみ、前記検出器から出力信号が発することを特徴とする請求項１０に記載の方法。
【請求項１２】  前記光学測定装置は２つのクロックを含み、
第１のクロックに、検出器内に検出信号が発生すると、前記パルスの第１の列の発生を開始させるステップと、
第２のクロックに、第１のクロックの２つの連続するパルスの間隔中に、検出器内でのさらなる検出信号の発生とともに前記パルスの第２の列の発生を開始させるステップと、
第２の列における次のパルスの存在中に、検出器内に検出信号があり、検出器がパルスの第１の列に基づく出力信号を発していないときに、検出器から出力信号を発させるステップと
をさらに備えたことを特徴とする請求項１１に記載の方法。
【請求項１３】  前記光学測定装置は追加のクロックを含み、
検出器内に検出信号が発生され、かつ、前に開始されたクロックの全てが作動中であるときに、前記パルスのそれぞれの列の発生を連続して開始させるステップをさらに備えたことを特徴とする請求項１２に記載の方法。
【請求項１４】  前記光学測定装置は追加のクロックを含み、
工具の異なる回転速度に一致して設定された異なる周波数のパルスのそれぞれの列を生成するようにクロックを設定するステップと、
前記パルスの列の発生の開始を工具の回転速度に適合させるステップと
をさらに備えたことを特徴とする請求項１２に記載の方法。
【請求項１５】  光ビームを生成する光源と、
前記光ビームを受け取り、前記光ビームが遮断されると信号を送信する検出器と
を備え、前記検出器は、
前記光源からの光ビームが遮断されると前記検出器内で第１の検出信号を発生し、
前記第１の検出信号が発生する場合の第１の時間間隔を提供し、
前記第１の時間間隔より短く、前記第１の時間間隔の終了から開始される第２の時間間隔を提供し、
前記第２の時間間隔おいて、前記検出器内で検出信号がさらにあるときに、前記検出器から出力信号を発することを特徴とする対象物の計測を行なう装置。
【請求項１６】  前記対象物は、切断工具であることを特徴とする請求項１５に記載の装置。
【請求項１７】  光ビームを生成する光源と、
前記光ビームを受信し、および前記光ビームの所定の遮断が発生すると信号を送信するか、前記受信した光の範囲を示す信号を送信する検出器と、
前記検出器からの信号を処理し、出力を生成する信号プロセッサと
を備え、前記信号プロセッサは、前記信号の生成に続いて、前記対象物の少なくとも１回転に要する時間にほぼ同じだけの遅延の後、かつ前記信号が前記遅延の終了において存在する場合、前記検出器からの信号を処理し、出力を生成するか、または
前記検出器によって生成された信号が所定の範囲または程度に達するたびに、前記対象物の少なくとも１回転にほぼ同じ存続期間を有するクロックパルスを開始し、および前記クロックパルスの存続期間の最後でのみ出力を生成することを特徴とする回転する対象物の位置を判定する装置。
【請求項１８】  前記信号プロセッサは、前記信号をモニタすることができるように各信号の生成を記憶するストアを含むことを特徴とする請求項１７に記載の装置。
【請求項１９】  前記ストアは、２つの半部を有するバッファを含み、および前記バッファの各半部の同じ位置に信号が生じたときに出力が生成されることを特徴とする請求項１８に記載の装置。
【請求項２０】  前記出力は、前記検出器からの第２の信号が第１のクロックパルスの存続期間の最後に受信するときのみ生成され、および前記信号プロセッサは、前記信号および第２の信号との間に発せられた、前記検出器からのいずれの信号も無視することを特徴とする請求項１７に記載の装置。
【請求項２１】  光ビームを生成する光源と、前記光ビームを受信する検出器とを備えた光学測定装置を用いて、回転する対象物の位置を判定し、出力を生成する方法であって、
前記対象物を回転させるステップと、
前記光源から光ビームを照射させるステップと、
前記光ビームと相対的に前記対象物を移動するステップと、
前記検出器において、光ビームの範囲を検出するステップと、
前記検出器において所定の範囲の光が存在するときは、前記検出器から信号を生成するステップと、
前記信号の生成に続いて、前記対象物の少なくとも１回転だけ前記出力を遅延するステップと、
前記所定の範囲の光が前記遅延の終了において存在するときのみ、前記光学測定装置からの信号を生成させるか、前記検出器によって生成された信号が生成されるたびに、前記対象物の少なくとも１回転にほぼ同じ存続期間を有するクロックパルスを開始し、および前記クロックパルスの最後まで前記出力を遅延するか、または２つのモニタされた出力が、前記対象物がそれぞれのモニタ中に、少なくとも１回転を満了するのに必要となるのとほぼ同じ間隔をもって発生するときのみ前記光学測定装置からの信号を生成させるステップと、
を備えたことを特徴とする方法。